【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
脚体と、
前記脚体に固着された支基と、
前記支基の両側において、左右１対の前端部が左右方向の支軸をもって支基に枢着された背凭れ支持杆に支持されて、前記支基に対し前後方向に傾動可能な背凭れと、
前記支基に連結されて支基の上方に設けられたガイドレールと、
前記ガイドレールに前後方向に摺動可能に装着された座と、
前記座の下方において前記背凭れ支持杆の下部における前向部に下端部が固着された肘掛けとを備えることを特徴とする椅子。
【請求項２】
肘掛けを、側面視ほぼＬ字状の背凭れ支持杆の前向部の中間に設けた請求項１記載の椅子。  
【請求項３】
ガイドレールの前部を、支基に下部を枢着させた支持リンクの上端部に、かつガイドレールの後部を、背凭れ支持杆から上向きに突設された座支持杆の上端部に、それぞれ左右方向を向く軸をもって枢着させて連結し、背凭れを後下方向に傾動させると座が後下方向に移動させられるようにした請求項１または２記載の椅子。
【請求項４】
座を、ガイドレールに前後方向に摺動可能に装着した可動レールに固着し、前記可動レールとガイドレールとの間に、座を前後方向の所望の位置に摺動させて調整した後に、その位置で固定するための位置調整装置を設けた請求項１〜３のいずれかに記載の椅子。
【手続補正２】
【補正対象書類名】明細書
【補正対象項目名】全文
【補正方法】変更
【補正の内容】
【発明の詳細な説明】
【発明の名称】椅子
【技術分野】
【０００１】
本発明は、椅子に関する。
【背景技術】
【０００２】
背凭れに寄り掛かる座者の荷重により、背凭れが後傾し、それに連動して、座が前後動する椅子は公知である。
本願出願人は、近年のＯＡ機器の普及に対処して、たとえば机上のパソコンのキーボード使用時において、背凭れの後傾とは無関係に、背凭れや肘掛けに対する座の前後位置を微調節して、座者の座り心地を改善し、デスクワークの作業効率を向上させることを目的として、簡単な機構で、容易に座の前後位置の調節を行うことができる発明について、先に特許出願している（特許文献１参照）。
【先行技術文献】
【特許文献】
【０００３】
【特許文献１】特開２００２−１３６３７６号公報
【発明の概要】
【発明が解決しようとする課題】
【０００４】
本発明は、前記目的と併せて、座の前後位置の調節を行う際に、その操作が容易であるとともに、調節後の位置を安定的に保持することができるようにした、椅子を提供することを目的とする。
【課題を解決するための手段】
【０００５】
本発明によると、上記課題は、次のようにして解決される。
（１）  脚体と、前記脚体に固着された支基と、前記支基の両側において、左右１対の前端部が左右方向の支軸をもって支基に枢着された背凭れ支持杆に支持されて、前記支基に対し前後方向に傾動可能な背凭れと、前記支基に連結されて支基の上方に設けられたガイドレールと、前記ガイドレールに前後方向に摺動可能に装着された座と、前記座の下方において前記背凭れ支持杆の下部における前向部に下端部が固着された肘掛けとを備えるものとする。
【０００６】
(２)  上記(１)項において、肘掛けを、側面視ほぼＬ字状の背凭れ支持杆の前向部の中間に設けた。
【０００７】
(３)  上記(１)または(２)項において、ガイドレールの前部を、支基に下部を枢着させた支持リンクの上端部に、かつガイドレールの後部を、背凭れ支持杆から上向きに突設された座支持杆の上端部に、それぞれ左右方向を向く軸をもって枢着させて連結し、背凭れを後下方向に傾動させると座が後下方向に移動させられるようにする。
【０００８】
(４)  上記(１)〜(３)項のいずれかにおいて、座を、ガイドレールに前後方向に摺動可能に装着した可動レールに固着し、前記可動レールとガイドレールとの間に、座を前後方向の所望の位置に摺動させて調整した後に、その位置で固定するための位置調整装置を設ける。
【発明の効果】
【０００９】
本発明によれば、下記の効果が奏せられる。
上記(１)項の発明によれば、肘掛けが背凭れ支持杆の下部における前向部に固着されているため、座を前後に摺動させても、それにともなって肘掛けが前後方向に移動することを防止することができるとともに、着座者による肘掛けへの負荷は、ガイドレールに伝わらない構造となっているため、ガイドレールを変形させる虞もなく、かつ肘掛けが背凭れ支持杆とともに傾動するため、背凭れ支持杆の傾動に肘掛けが邪魔となることもない。
【００１０】
上記(２)項の発明によれば、肘掛けは、側面視ほぼＬ字状の背凭れ支持杆の下部における前向部の中間に固着させられる。
【００１１】
上記(３)項の発明によれば、背凭れ支持杆を後下方に傾動させると、それに連動して座が後下方向に移動する椅子が得られる。
【００１２】
上記(４)項の発明によれば、座の前後位置を調節する際の操作を、一層容易にすることができる。
【図面の簡単な説明】
【００１３】
【図１】本発明の一実施形態の椅子の正面図である。
【図２】同じく、前記椅子の側面図である。
【図３】図１におけるIII〜III線横断面図である。
【図４】図１におけるIV〜IV線要部縦断面図である。
【図５】同じく、図３におけるＶ〜Ｖ線縦断面図である。
【図６】同じく、図３におけるVI〜VI線縦断面図である。
【図７】図２における破線長円内の下方斜視部分拡大図である。
【図８】図７における位置調節装置の要部の上方斜視分解図である。
【図９】同じく、図７におけるIX〜IX線縦断面図である。
【図１０】同じく、図７におけるＸ〜Ｘ線縦断面図であり、レバー取手の係合部が、ガイドレールの被係合部に係合している状態を示す。
【図１１】レバー取手の係合部と、ガイドレールの被係合部との係合が解除された状態を示す、図１０と同様の図である。
【発明を実施するための形態】
【００１４】
以下、本発明の実施の形態を、添付図面を参照して説明する。
図１、図２は、それぞれ、本発明の一実施形態の椅子の正面図、および側面図である。
また、図３は、図１におけるIII〜III線横断面図、図４は、図１におけるIV〜IV線要部縦断面図である。
【００１５】
図１及び図２に示すように、この椅子は、先端部にキャスタ１が設けられた脚杆２を有する脚体３の中央に、ガススプリング（図示略）を備える伸縮式の脚柱４を立設し、脚柱４の上端に、支基５の後部を固着して形成されている。
支基５の内部には、背凭れ６及び座７の復帰用の付勢手段が設けられている。
【００１６】
支基５の両側壁５ａ、５ａより左右に突出する支軸８の両端部には、背凭れ６を支持する側面視ほぼＬ字状の左右１対の背凭れ支持杆９、９の前端部に設けた左右方向を向く筒部９ａ、９ａが固嵌されており、背凭れ６及び背凭れ支持杆９は、支軸８と一体となって、後下方に傾動し得るようになっている。
左右の背凭れ支持杆９の下部における前向部の中間には、肘掛け１０の下端部における内方を向く部分の先端が固着されている。
【００１７】
左右の背凭れ支持杆９における筒部９ａと肘掛け１０との中間部には、上向きの座支持杆１１が、一体的に設けられている。
【００１８】
図２、および図３におけるＶ〜Ｖ線縦断面図である図５に示すように、前記各座支持杆１１の上端部外側面には、横杆１２で互いに連結された前後方向を向く左右１対のガイドレール１３の後端部が、左右方向を向く軸１４をもって連結されている。
【００１９】
前記左右のガイドレール１３、１３の前端部は、図１、図２、および図３におけるVI〜VI線縦断面図である図６に示すように、支基５の両側壁５ａ、５ａの前部に設けられた外向きの筒部１５、１５の外側に枢着された、上下方向を向く左右の支持リンク１６、１６の上端部内側面に、左右方向を向く横軸１７をもって連結されている。このように、ガイドレール１３の前後端を支持する座支持杆１１と支持リンク１６の２つの支持金具は、一方の支持金具をガイドレール１３の内側側面に当接し、他方の支持金具をガイドレール１３の外側側面に当接させて支持してある。
【００２０】
前記支持リンク１６の下端部は、前記筒部１５の外側に、左右方向を向く横軸１８をもって枢着され、かつ筒部１５内に設けられたねじりコイルばねにより、図２における反時計回りに付勢されている。
【００２１】
背凭れ６及び背凭れ支持杆９、９を、支軸８を中心として後下方に傾動させると、そのときの背凭れ支持杆９、９と一体の座支持杆１１、１１の後傾により、座７の後部は後下方に移動させられ、かつそれに連動して、座７の前部も、左右の支持リンク１６、１６が、ねじりコイルばねの付勢力に抗して、後傾することにより、若干後下方に移動させられるようになっている。
【００２２】
左右のガイドレール１３、１３には、座７の下面より突設した短寸の脚座１９、１９をもって、前後の端部が固着され、座７から離間した前後方向を向く左右１対の可動レール２０、２０が、前後方向に摺動可能に装着されている。
【００２３】
図４に示すように、座７の前後端の下面より突設した短寸の脚座１９、１９には、上下方向の雌ねじ孔１９ａを貫設してあり、その下面に、可動レール２０の前後端部が、下方から挿入したボルト２１、２１によって螺着されている。
【００２４】
ガイドレール１３は、図５、図６に示すように、上端左右に外向きの鍔部１３ａ、１３ａを有するＵ字状断面をなし、そのＵ字溝１３ｂの内部中央に、その溝の深さのほぼ３分の２程度の高さの前後方向の支持片１３ｃが立設されている。支持片１３ｃの前後端部近傍には、図４に示すように、柱状のストッパー１３ｄ、１３ｄが設けられている。
【００２５】
可動レール２０は、図５、図６に示すように、断面がやや横長のほぼ四角形の下辺に、逆台形状の嵌合部２０ａを突出させた形状をなすとともに、図４に示すように、前後方向の端部近傍に、上下方向に貫通する前後に長いスライド孔２０ｂ、２０ｂが穿設されている。
【００２６】
ガイドレール１３と可動レール２０との間には、滑り抵抗の小さい摺動用シート２２を介在させて、可動レール２０がガイドレール１３上を円滑に摺動し得るようにしてある。
【００２７】
摺動用シート２２は、断面が、上端左右に外向きの鍔部２２ａ、２２ａを有する低寸のＵ字状をなし、左右の鍔部２２ａ、２２ａを、ガイドレール１３の左右の鍔部１３ａ、１３ａの上面に載置して、ガイドレール１３のＵ字溝１３ｂの上部に嵌合させるとともに、その下面中央を、ガイドレール１３の支持片１３ｃをもって支持させ、かつ摺動用シート２２の前後端部近傍に穿設した通孔２２ｂ、２２ｂに、ガイドレール１３のストッパー１３ｄを挿通させることによって、ガイドレール１３上に固定されている。
【００２８】
可動レール２０は、その下面に突設された逆台形状の嵌合部２０ａを、摺動用シート２２のＵ字溝２２ｃ内に嵌合させるとともに、ガイドレール１３の前後のストッパー１３ｄ、１３ｄを、それぞれ前後のスライド孔２０ｂ、２０ｂに貫通させ、次いで、ストッパー１３ｄ、１３ｄに設けられた雌ねじ孔に、ボルト２３、２３を螺合させて取り付けられている。
【００２９】
ボルト２３、２３の頭部２３ａ、２３ａの直径は、可動レール２０のスライド孔２０ｂの幅よりも大きくして、可動レール２０がガイドレール１３から外れることがないようにしてある。
可動レール２０は、スライド孔２０ｂの長さの範囲内において、前後に円滑に摺動させることができる。
【００３０】
ガイドレール１３と可動レール２０間には、座７を前後方向の所望位置に摺動させて調節した後に、その位置で固定するための位置調節装置が設けられている。
【００３１】
図７は、図２における破線長円内の下方斜視部分拡大図である。
位置調節装置２４は、ガイドレール１３に設けられた被係合部２５と、可動レール２０ の前後方向のほぼ中央部に設けられた、前記被係合部２５と係合する係合部２６を有するレバー部材２７とよりなる。
【００３２】
図８は、図７における位置調節装置２４の要部の上方分解斜視図である。
図９、図１０は、それぞれ図７におけるIX〜IX線縦断面図、Ｘ〜Ｘ線縦断面図である。
【００３３】
被係合部２５は、ガイドレール１３の外側側面１３ｅに、上下方向の係合溝２５ａを前後方向に複数設けて形成されている。
【００３４】
レバー部材２７は、板状のレバー取手２８と、その内側端に立設した取付板２９と、この取付板２９の上端に設けられた前後方向の回動軸３０とよりなる。
【００３５】
レバー取手２８の内側端面２８ａには、前記被係合部２５の一部の係合溝２５ａと係合する、前後方向に複数並設された係合突起２８ｂからなる係合部２６が設けられ、外側端２８ｃは、取手として手を掛け易いように、外側に向けて湾曲させてある。
【００３６】
可動レール２０の前後方向のほぼ中央部におけるレバー部材２７の上方には、前記レバー取手２８と対をなすようにして、前記レバー取手２８の外側端２８ｃとほぼ同様の形状の固定取手３１が、外側に向けて突設されている。可動レール２０の上面の、前記固定取手３１が設けられた位置には、平面視長方形の凹部３２が設けられ、この凹部３２の底面３３のうち、外方端には、レバー取手２８の回動軸３０を挿通させるための前後方向に長い開口３４が設けられ、この開口３４の前後には、回動軸３０の両端を、回動自在に支承するための断面半円状の支承溝３５、３５が設けられている。
【００３７】
レバー取手２８の回動軸３０を前記支承溝３５、３５に支承させた後に、前記凹部３２は、キャップ３６で被覆される。このキャップ３６の裏面の外方端近傍には、前記支承溝３５、３５の半円溝を補完する下向きに開口する半円溝３７が設けられており、この半円溝３７は、前記支承溝３５と相俟って、レバー取手２８の回動軸３０を位置安定よく回動自在に支持する。
【００３８】
キャップ３６は、ボルト３８を各通孔３９へ挿通して、前記凹部３２における底面３３の雌ねじ孔３９ａへ螺合することによって、固定されている。
【００３９】
レバー取手２８の上面の前後には、それぞれ、コイルばね４０の下部を嵌入しうる係止筒４１が設けられ、固定取手３１の下面には、前記コイルばね４０、４０の上端を係止する係止凹孔４２、４２が設けられている。
【００４０】
上下端が、それぞれ前記係止凹孔４２と、係止筒４１に嵌合係止されたコイルばね４０、４０の作用によって、レバー取手２８は、図１０に示すように、前後方向の回動軸３０の回りに弾性付勢され、レバー取手２８の係合部２６は、ガイドレール１３の被係合部２５に係合している。
【００４１】
座７の前後位置を調節するには、たとえば、固定取手３１の上面に手の親指を当て、レバー取手２８の下面にその他の指を当てて、図１１に示すように、レバー取手２８をコイルばね４０、４０による弾性付勢に抗して、回動軸３０の回りに回動させることにより、係合状態を解除し、可動レール２０を、摺動用シート２２を介して、ガイドレール１３上を摺動させることにより、容易に座１の前後位置を調節することができる。
【００４２】
位置を調節した後、レバー取手２８から手を離すと、レバー取手２８は、コイルばね４０の弾性付勢の作用により、再びレバー取手２８の係合部２６が、ガイドレール１３の被係合部２５に係止され、座７の前後位置が、その位置で固定される。
【符号の説明】
【００４３】
１  キャスター
２  脚杆
３  脚体
４  脚柱
５  支基
５ａ  側壁
６  背凭れ
７  座
８  支軸
９  背凭れ支持杆
９ａ  筒部
１０  肘掛け
１１  座支持杆
１２  横杆
１３  ガイドレール
１３ａ  鍔部
１３ｂ  Ｕ字溝
１３ｃ  支持片
１３ｄ  ストッパー
１３ｅ  外側側面
１４  軸
１５  筒部
１６  支持リンク
１７、１８横軸
１９  脚座
１９ａ  雌ねじ孔
２０  可動レール
２０ａ  嵌合部
２０ｂ  スライド孔
２１  ボルト
２２  摺動用シート
２２ａ  鍔部
２２ｂ  通孔
２２ｃ  Ｕ字溝
２３  ボルト
２３ａ  頭部
２４  位置調節装置
２５  被係合部
２５ａ  係合溝
２６  係合部
２７  レバー部材
２８  レバー取手
２８ａ  内側端面
２８ｂ  係合突起
２８ｃ  外側端
２９  取付板
３０  回動軸
３１  固定取手
３２  凹部
３３  底面
３４  開口
３５  支承溝
３６  キャップ
３７  半円溝
３８  ボルト
３９  通孔
３９ａ  雌ねじ孔
４０  コイルばね
４１  係止筒
４２  係止凹孔
【手続補正３】
【補正対象書類名】図面
【補正対象項目名】図３
【補正方法】変更
【補正の内容】
【図３】
2012005893.tif 000001
【手続補正４】
【補正対象書類名】図面
【補正対象項目名】図４
【補正方法】変更
【補正の内容】
【図４】
2012005893.tif 000002